(57)【要約】入力信号ＳＧ０を処理する方法が記載される。本方法は、入力信号を受信するステップを含む。さらに、本方法は、入力信号ＳＧ０をベースストリームＳＧ１及び１以上にエンハンスされたストリームＳＧ２，ＳＧ３に処理するステップを含み、ベースストリームＳＧ１は、基本の信号情報を含み、１以上のエンハンスされたストリームは、ＳＧ２，ＳＧ３は、基本の信号情報に相補的なエンハンスメント信号情報を含む。さらに、本方法は、複数のストリームＳＧ１，ＳＧ２，ＳＧ３を結合して、一定のビットレートＣＢＲの対応するコンポジット信号４０を生成するステップを含み、コンポジット信号４０は、１つの多重化でブロードキャストされる。
2007537646.tif 000002
【特許請求の範囲】
【請求項１】
入力信号を処理する方法であって、
当該方法は、
ａ）前記入力信号を受信するステップと、
ｂ）前記入力信号を、基本の信号情報を含むベースストリームと、前記基本の信号情報と相補的なエンハンスメント信号情報を含む１以上のエンハンスされたストリームに処理するステップと、
ｃ）複数のストリームを結合して、一定のビットレートの対応するコンポジット信号を生成するステップと、
を含むことを特徴とする方法。
【請求項２】
前記ベースストリームは、一定のビットレート特性を有する第一の部分と、可変のビットレート特性を有する第二の部分を含む、
請求項１記載の方法。
【請求項３】
前記ベースストリームと前記１以上のエンハンスされたストリームを結合して、システム多重化を使用することで、前記コンポジット信号を生成するステップを含む、
請求項２記載の方法。
【請求項４】
前記コンポジット信号に含むために一定のビットレートの対応する信号を生成するために１以上のエンハンスされたストリームと結合されたとき、前記ベースストリームの前記第二の部分について編成するステップを含む、
請求項３記載の方法。
【請求項５】
前記コンポジット信号は、比較的高いロバスト性をもつ優先度の高いチャネル及び比較的低いロバスト性をもつ優先度の低いチャネルを含む階層的な変調を使用して伝達され、前記ベースストリームの第一の部分は、優先度の高いチャネルで伝達される一定のビットレート特性を有しており、前記ベースストリームの第二の部分は、優先度の低いチャネルで伝達される１以上のエンハンスされたストリームと共に可変のビットレート特性を有する、
請求項４記載の方法。
【請求項６】
前記入力信号を前記複数のストリームに格付けするステップを含み、前記ストリーム間の分割は、前記入力信号に存在するコンテンツに依存して動的に変化可能である、
請求項１記載の方法。
【請求項７】
前記ベースストリームのその関連される第一及び第二の部分への分割は、ビットレート変換を使用して実行される、
請求項２記載の方法。
【請求項８】
前記ベースストリームのその関連される第一及び第二の部分への分割は、ＭＰＥＧデータの分割を使用して実行される、
請求項２記載の方法。
【請求項９】
前記ベースストリームのその関連される第一及び第二の部分への分割は、ＭＰＥＧ  ＳＮＲスケーラビリティを使用して実行される、
請求項２記載の方法。
【請求項１０】
前記ベースストリームが、干渉を受けにくい比較的狭い帯域幅のコンポジット信号にロバストに含まれ、干渉を受け易い比較的広い帯域幅のコンポジット信号に含まれるように、前記コンポジット信号を構築するステップを含む、
請求項１記載の方法。
【請求項１１】
前記１以上のエンハンスされたストリームのビットレート制御は、前記ベースストリームについて使用されるビットレートに依存して行われる、
請求項２記載の方法。
【請求項１２】
地上波無線ブロードキャスト、サテライト無線ブロードキャスト、無線トランスミッション及びケーブルネットワークブロードキャストのうちの１つについて使用される、
請求項１記載の方法。
【請求項１３】
入力信号を処理する装置であって、
当該装置は、
ａ）入力信号を受信し、前記入力信号を、基本の信号情報を含むベースストリームと前記基本の信号情報に相補的なエンハンスメント信号情報を含む１以上のエンハンスされたストリームに処理するデータプロセッサと、
ｂ）複数のストリームを結合して、一定のビットレートの対応するコンポジット信号を生成する信号結合手段を含む、
ことを特徴とする装置。
【請求項１４】
前記プロセッサは、前記入力信号を、前記コンポジット信号の生成で使用するための一定のビットレート特性を有する第一の部分と、可変ビットレート特性を有する第二の部分とを有する前記ベースストリームに分割するために作用する、
請求項１３記載の装置。
【請求項１５】
前記信号結合手段は、前記ベースストリームと前記１以上のエンハンスされたストリームを結合して、システム多重化により前記コンポジット信号を生成するために作用する、
請求項１３記載の装置。
【発明の詳細な説明】
【技術分野】
【０００１】
本発明は、信号処理方法に関し、より詳細には、本発明は、デジタル地上波ブロードキャストに適した方式で入力信号を処理する方法に関する。さらに、本発明は、かかる方法での使用に適した信号を生成する装置に関する。
【背景技術】
【０００２】
地上波ブロードキャストを送信及び受信するシステムが知られている。最近、たとえばデジタルテレビジョン及びラジオに関し、デジタル地上波ブロードキャストが益々使用されるようになってきており、認識された国際標準が確立されている。たとえば、公知のDigital  Video  Broadcasting  −  Terrestrial  (DVB−T)  では、ＭＰＥＧ２符号化テレビジョン信号を送信する方法が定義されている。ＤＶＢ−Ｔ規格は、送信向けに使用される関連する地上波チャネルの特定の特徴に適合され、チャネルは、マルチパス伝播を潜在的に受け易く、したがって品質が低下した送受信を受け易い。たとえばＡＴＳＣといった他の代替的なデジタル地上波ブロードキャスト規格が知られている。
【０００３】
様々なＤＶＢ−Ｔが最近提案されている。たとえば、EBU  Technical  Review  において２００３年４月に公表されたWeck及びSchertzによる論文“Hierarchical  Modulation”では、種々のＤＶＢ−Ｔが記載されている。この変形例は、１つのテレビジョンチャネルで２つの独立なＤＶＢ−Ｔ多重化の送信を可能にする。送信は、２つの多重化されたコンポーネント、すなわち高い優先度（ＨＰ：Ｈｉｇｈ  Ｐｒｉｏｒｉｔｙ）のマルチプレックスコンポーネント及び低い優先度（ＬＰ：Ｌｏｗ  Ｐｒｉｏｒｉｔｙ）のマルチプレックスコンポーネントを有する。高い優先度のマルチプレックスコンポーネントは、パームヘルドミニチュアテレビジョンを使用することと共に、家庭内での受信及び移動による受信に特に適しており、この場合、スクリーンの解像度は制限され、精細な画像の詳細の保持は、ユーザにより期待されない。
【０００４】
階層的変調の多重化されたコンポーネントは雑音に対する受け易さにおいて変動することが知られている。結果的に、サービスカバレッジエリアは、マルチプレックスコンポーネントのそれぞれについてサイズにおいて潜在的に異なる。低いデータレートが提供される優先度（ＨＰ）の高いマルチプレックスコンポーネントは、比較的大きなカバレッジエリアに対処するため使用されやすく、優先度（ＬＰ）の低いマルチプレックスコンポーネントは、カバレッジエリアで更に制限される。刊行物では、ＨＰマルチプレックスコンポーネントのカバレッジエリアは、ＬＰマルチプレックスコンポーネントのロバスト性を犠牲にして変動することができるその変調パラメータαにより影響されることが知られている。
【０００５】
したがって、上述されたＤＶＢ−Ｔ規格では、２つの個別のデータマルチプレックスコンポーネントが１つの信号に変調され、すなわちＨＰデータコンポーネントは、ＬＰコンポーネントに埋め込まれる。さらに、ＬＰマルチプレックスコンポーネントは、メインチャネルと呼ばれることがある。従来、ＨＰマルチプレックスコンポーネントは、４．５Ｍｂｙｔｅｓ／ｓｅｃｏｎｄのオーダでの比較的低いデータ伝送キャパシティを有し、ＬＰマルチプレックスコンポーネントは、１３．５Ｍｂｙｔｅｓ／ｓｅｃｏｎｄの高いキャパシティを有する。しかし、ＬＰマルチプレックスコンポーネントの受信は、特に妥協されたマルチパス受信条件下ではＨＰストリームよりも信頼性が低い。かかる受信特性の観点で、ＬＰマルチプレックスコンポーネントは、比較的低いビットレートで、たとえば１以上のビデオ信号といった低い解像度のバージョンのビデオプログラムコンテンツを送信するために使用されることがある。ＨＰマルチプレックスコンポーネントは、たとえば高品質の高精細（ＨＤ）テレビジョン向けに、規則的なビットレートでプログラムコンテンツのフル解像度のバージョンを送信するために使用される。
【０００６】
乏しい受信状況では、ＬＰマルチプレックスコンポーネントは、受信されたときに通常は使用不可能であるが、ＨＰコンポーネントは、使用可能なままであり、復調されたときに合理的に許容できるビデオ信号を発生するために使用されやすい。ＬＰコンポーネントの受信が改善されたとき、ＬＰコンポーネントは、対応する高品質のビデオ信号を生成するために使用される。
【発明の開示】
【発明が解決しようとする課題】
【０００７】
本発明者は、ＤＶＢ−Ｔ送信におけるデータストリームの割り当ては最適ではないことを理解しており、したがって、改善されたブロードキャスト方法を考案したものである。
【課題を解決するための手段】
【０００８】
本発明者は、ＤＶＢ−Ｔ規格を実現するための代替的な方法は、たとえばＨＰマルチプレックスコンポーネントで包含するために低解像度のベースレイヤとＬＰマルチプレックスコンポーネントのためのフル解像度のエンハンスメントレイヤといった、２以上のデータレイヤを含む階層的な圧縮スキームとしてそれをアレンジすることであると理解している。かかる実現は、たとえば上述されたように、公知のデジタルブロードキャストアプローチで遭遇するようなＨＰ及びＬＰマルチプレックスコンポーネントにおける情報の複製を回避するため、更に効果的である。ＨＰ及びＬＰマルチプレックスコンポーネントの両者は、データレートを慣習的に固定しているので、実現は、２つのレイヤを伝達するために固定されたデータレートとなる。
【０００９】
本発明を考案することにおいて、本発明者は、可変ビットレートを利用することが有利であることを認識している。一般に本発明の環境では、Ｎのビデオストリームが許容される場合、本発明者は、統計的な多重化が都合よく利用されることを思い描いており、Ｎストリームのビットレートの合計は、実質的に一定となる必要があるが、たとえば瞬間的なプログラムコンテンツに動的に依存して、Ｎチャネル間で比例して変動することができる。さらに、本発明者は、ストリーム数Ｎが増加されるとき、統計的な多重化の適用が良好に機能することを理解している。現代の階層的な変調スキームの性質のため、統計的な多重化は、ＬＰ及びＨＰマルチプレックスコンポーネントを区別する固定された境界にわたり現在のところ可能ではなく、したがって、これまで利用されていない。
【００１０】
したがって、本発明の目的は、たとえば現代のデジタル地上波のブロードキャストシステムにおいて生じる情報の複製を低減する信号を処理する改善された方法を提供することにある。
【００１１】
本発明の第一の態様によれば、入力信号ＳＧ０を処理する方法が提供され、当該方法は、ａ）入力信号ＳＧ０を受信するステップ、ｂ）入力信号ＳＧ０をベースストリームＳ1及び１以上のエンハンスされたストリームＳ2に処理するステップ、ベースストリームＳ1は、基本の信号情報を含み、１以上のエンハンスされたストリームＳ2は、基本の信号情報に相補的なエンハンスメント信号情報を含み、ｃ）複数のストリームＳ1，Ｓ2を結合して、一定のビットレートＣＢＲの対応するコンポジット信号を生成するステップを含む。
【００１２】
本発明は、１以上のエンハンスされたストリームＳ2が干渉により悪影響されるときにベースストリームＳ1は潜在的に受信され易い点で有利であり、かかるストリームＳ1は、入力信号ＳＧ０が少なくとも基本レベルで理解されるのを可能にする。
【００１３】
好ましくは、本方法では、ベースストリームＳ1は、一定のビットレートＣＢＲの特性を有する第一の部分と、可変のビットレートＶＢＲの特性を有する第二の部分を有する。一定のビットレートＣＢＲ及び可変のビットレートＶＢＲへのかかる分割により、コンポジット信号における動的な分割が可能となり、したがって更に最適な帯域幅の使用が可能となる。
【００１４】
好ましくは、本方法は、ベースストリームＳ1及び１以上のエンハンスされたストリームＳ2を結合して、システム多重化を使用することでコンポジット信号を生成するステップを含む。多重化を適用することは、コンポジット信号における比較的少ない出力ストリームを生成することにおける利点となる。
【００１５】
好ましくは、本方法は、コンポジット信号における包含について一定のビットレートＣＢＲの対応する信号を発生するため、１以上のエンハンスされたストリームＳ2と結合されたとき、ベースストリームＳ1の第二の部分について編成（arrange）するためのステップを含む。コンポジット信号における一定のビットレートＣＢＲは、たとえば地上波の無線送信によるブロードキャストといった、通信されたときに割り当てられる帯域幅でコンポジット信号が保持されるのを保証することにおいて利点がある。
【００１６】
好ましくは、本方法において、コンポジット信号は、比較的高いロバスト性の優先度（ＨＰ）の高いチャネル及び比較的低いロバスト性の優先度（ＬＰ）の低いチャネルを含む階層的な変調を使用して伝達され、ベースストリームＳ1の第一の部分は、優先度（ＨＰ）の高いチャネルで伝達される一定のビットレート（ＣＢＲ）特性を有しており、ベースストリームＳ1の第二の部分は、優先度（ＬＰ）の低いチャネルで伝達される１以上のエンハンスされたストリームＳ2と共に可変のビットレートを有する。動的な分割（dynamic  partitioning）は、コンポジット信号のキャパシティを伝送する情報は更に効率的に利用されるという点で利点がある。より好ましくは、本方法は、入力信号ＳＧ０を複数のストリームに格付けをする（grading）ステップを含み、ストリーム間の分割は、入力信号ＳＧ０に存在するコンテンツに依存して動的に変化可能である。
【００１７】
好ましくは、本方法では、ベースストリームＳ1をその関連する第一及び第二の部分に分割することは、ビットレート変換ＢＲＴを使用して実行される。ＢＲＴは、ベースストリームＳ1に関連される係数に減衰を適用するのを含む技術であり、結果的に得られた減衰された係数は、ベースストリームの第一の部分を生成するために使用され、到来する減衰された係数と減衰された係数との間の差は、ベースストリームの第二の部分を生成するために使用される。さらに、ＢＲＴは、引用により盛り込まれる欧州特許出願番号０１４０１０２９．１で記載される。
【００１８】
好ましくは、本方法では、ベースストリームＳ1をその関連される第一及び第二の部分に分割することは、ＭＰＥＧデータ分割を使用して実行される。かかるＭＰＥＧデータ分割は、引用により盛り込まれる国際標準ＩＳＯ／ＩＥＣ１３８１８−２から知られている。
【００１９】
好ましくは、本方法では、ベースストリームＳ1のその関連される第一及び第二の部分への分割は、ＭＰＥＧ  ＳＮＲスケーラビリティを使用して実行される。ＭＰＥＧは、公知の現代の国際規格である。さらに、ＳＮＲスケーラビリティは、エンハンスメント情報が、第一のデータストリームの対応する係数をエンハンスすることが意図される第二のデータストリームにより伝達されるのを可能にする。さらに、ＳＮＲスケーリングは、上述された規格ＩＳＯ／ＩＥＣ１３８１８−２で記載されるＩＳＯ規格である。
【００２０】
好ましくは、本方法は、ベースストリームＳ1が、干渉しにくいコンポジット信号の比較的狭い帯域幅にロバストに含まれるように、コンポジット信号を構築するステップを含み、１以上のエンハンスされたストリームＳ2は、干渉し易いコンポジット信号の比較的広い帯域幅に含まれる。
【００２１】
好ましくは、本方法では、１以上のエンハンスされたストリームＳ2のビットレート制御は、ベースストリームＳ1について使用されたビットレートに依存して行われる。  
好ましくは、本方法は、地上波のワイヤレスブロードキャスト、衛星のワイヤレスブロードキャスト、ワイヤレストランスミッション及びケーブルネットワークブロードキャストの少なくとも１つについて使用される。
【００２２】
本発明の第二の態様によれば、入力信号ＳＧ０を処理する装置が提供され、当該装置は、ａ）入力信号ＳＧ０を受信し、入力信号ＳＧ０をベースストリームＳ1及び１以上のエンハンスされたストリームＳ2に処理するデータプロセッサ、ベースストリームＳ1は、基本的な信号情報を含み、１以上のエンハンスされたストリームＳ2は、基本的な信号情報に相補的なエンハンスメント信号情報を含み、ｂ）複数のストリームＳ1，Ｓ2を結合して、一定のビットレートＣＢＲの対応するコンポジット信号を生成する信号結合手段を含む。
【００２３】
好ましくは、当該装置において、プロセッサは、入力信号ＳＧ０を、一定のビットレートＣＢＲの特性を有する第一の部分とコンポジット信号で使用するための可変のビットレートＶＢＲ特性を有する第二の部分とを有するベースストリームＳ１に分割するために作用する。
【００２４】
好ましくは、本装置において、信号結合手段は、ベースストリームＳ1と１以上のエンハンスされたストリームＳ2を結合して、システム多重化によりコンポジット信号を生成するために作用する。
【００２５】
本発明の特徴は、本発明の範囲から逸脱することなしに組み合わせで結合され易い。本発明の実施の形態は、以下の図面を参照して、例示のみを通して記載される。
【発明を実施するための最良の形態】
【００２６】
概要において、本発明者は、図１に概念的に示されるブロードキャスト方法を考案し、本方法の原理となるステップは、参照符号１０で示されている。本方法１０は、たとえば、無線送信として、及び／又は光ファイバ通信ネットワークを介して、地上波ブロードキャスト５０に適したコンポジット信号を生成するために結合可能な、低い優先度（ＬＰ）のマルチプレックスコンポーネント２０及び高い優先度（ＨＰ）のマルチプレックスコンポーネント３０を少なくとも含むステップを含む。さらに、ＬＰ２０及びＨＰ３０マルチプレックスコンポーネントは、可変のビットレート送信を可能にするように構築され、これにより、ＨＰコンポーネント３０に関してＬＰコンポーネント２０を定義するボーダを通して統計的な多重化を利用することが可能である。また、圧縮技術は、かかる統計的な多重化と共に利用される。本発明の方法１０を適用することで、可変のビットレート（ＶＢＲ）データは、空間的に低周波及び空間的に中間周波の画像情報を伝達するために一定のビットレートＣＢＲを有するために配置される第一のデータストリームＳ1、及び重要ではない高周波の画像情報を伝達するために可変のビットレートＶＢＲを収容するために配置される第二のデータストリームＳ2に変換される。２つのデータストリームＳ1、Ｓ2は、先に説明されたように、上述されたＬＰ及びＨＰマルチプレックスコンポーネント２０，３０で伝達される。
【００２７】
たとえば、ビデオプログラムコンテンツがベースレイヤ１００とエンハンスメントレイヤ１１０を含むデュアルレイヤスキームにより伝達されるとき、以下の点で利点がある。ａ）ベースレイヤ１００の第一の部分１２０は、一定のビットレートＣＢＲでＨＰマルチプレックスコンポーネント３０に割り当てられる。ｂ）エンハンスメントレイヤ１１０は、ＬＰマルチプレックスコンポーネント２０での送信のためのＣＢＲであるベースレイヤ１００の第二の部分１３０と結合される。
【００２８】
ベースレイヤ１００を第一及び第二の部分１２０，１３０のそれぞれに分割することは、矢印１４０により示されるように任意に動的に可変である。付加的に、又は代替的に、エンハンスメントレイヤ１１０及びＬＰストリームＬＰ２０における第二の部分１３０から含まれるデータの割合は、矢印１５０により示されるように、任意に動的に可変である。たとえば、エンハンスメントレイヤ１１０から信号４０に含まれる細かさの程度は、ストリームＳ2でＣＢＲを保持するように動的に変更される。
【００２９】
図１に例示される方法１０の実現は、図２を参照して記載される。図２では、参照符号２００で全般的に示される装置が示されており、装置２００は、１以上のハードウェア及びソフトウェアで実現される。概要において、装置２００は、入力２１０で入力ビデオストリームＳＧ０を受信し、対応する出力ストリームＳＧ１，ＳＧ２，ＳＧ３を出力するために作用し、ストリームＳＧ３は、一定のビットレートＣＢＲのＨＰストリームに寄与し、可変のビットレートＶＢＲストリームＳＧ２，ＳＧ３の組み合わせは、ＬＰストリームを構成する。
【００３０】
ここで、装置２００のコンポーネント部分が記載され、続いて、その動作の説明が行われる。  
本装置２００は、中間のエンコードされた出力ストリームＳＧ４を供給するため、エンコーダ（ＥＮＣ）３１０と直列にある空間スケールダウンファンクション３００を介して結合される入力２１０を有する。中間的なストリームＳＧ４は、デコーダ（ＤＥＣ）３２０に結合され、次いで、空間スケールアップファンクション３００を介して、算術ファンクション３４０の減算入力（−）で減算データ信号を提供する。算術ファンクション３４０の加算入力（＋）は、入力ビデオストリームＳＧ０を受信するために結合される。算術ファンクション３４０の差分出力は、可変エンコーダ（ＥＮＣ）３５０を介して結合され、その出力は、出力ストリームＳＧ３を構成する。可変エンコーダ３５０は、その入力が出力ストリームＳＧ２に結合されるビットレート制御ファンクション（ＢＲＣ）３６０からその出力ビットレートが制御可能であるように構成される。
【００３１】
また、中間ストリームＳＧ４は、ビデオフォーマット機能（ＶＬＤ）４００を介して乗算機能４１０の第一の入力に、また、算術機能４６０の更なる入力（＋）に結合される。乗算ファンクション４１０の出力は、量子化ファンクション（ＱＮＴ）４２０に接続され、その対応する量子化出力は、可変長の符号化ファンクション（ＶＬＣ）４３０を介してデータストリームＳＧ１に結合される。さらに、符号化ファンクション４３０の量子化された出力は、逆量子化ファンクション４５０を介して算術ファンクション４６０の減算入力に結合される。算術ファンクション４６０の出力は、可変長の符号化（ＶＬＣ）ファンクション４７０を介して接続され、出力ストリームＳＧ２を生成する。さらに、出力ストリームＳＧ１は、ビットレートコントロール（ＢＲＣ）ファンクション４４０を介して乗算ファンクション４１０の第二の入力に結合される。
【００３２】
動作において、スケールダウンファンクション３００、エンコーダ３１０、デコーダ３２０、及びスケールアップファンクション３３０は、算術ファンクション３４０からのエラー出力信号を生成するために算術ファンクション３４０と共に、デコーダ３２０との組み合わせで機能しうるエンコーダ３１０で生じるエラーに実質的に対応する。このエラー信号は、エンコーダ３１０でエンコードされてストリームＳＧ３を生成し、エンコーダ３５０は、ビットレートコントローラ３６０から受信された制御信号に応答して、ストリームＳＧ３に符号化されるべきエラー信号の空間成分の解像度に関して動的に調節可能である。したがって、ビットレート制御ファンクション３６０は、ストリームＳＧ２，ＳＧ３の組み合わせが一定のビットレートＣＢＲとなり、ストリームＳＧ２，ＳＧ３は、それぞれ個々に可変ビットレートＶＢＲとなるように、ストリームＳＧ２のビットレートを監視し、スレーブ方式でエンコーダ３５０を制御するために作用する。コントローラ３６０は、図１に示される矢印１５０のアクションに対応する。さらに、算術ファンクション３４０の出力は、図１におけるエンハンスメントレイヤ１１０に対応する。さらに、ストリームＳＧ２は、図１における第二の部分１３０に対応する。
【００３３】
ビットレートコントローラ４４０は、乗算ファンクション４１０及び量子化ファンクション４２０並びに符号化ファンクション４３０との組み合わせで、ストリームＳＧ１で一定のビットレート（ＣＢＲ）を保持するために作用するフィードバックループを形成する。量子化ファンクション４２０で失われたビデオ情報は、算術ファンクション４６０の出力で回復され、ストリームＳＧ２を生成するために使用される。したがって、コントローラ４４０、乗算ファンクション４１０及び量子化ファンクションを含むフィードバックループは、図１における矢印１４０により示されるように、第一の部分１２０と第二の部分１３０との間で動的なパーティションを制御するために作用する。
【００３４】
したがって、ビデオ入力ストリームＳＧ０で装置２００に入力される画像の低い空間周波数（ＬＦ）の表現は、ＳＧ１ストリームで提供され、対応する中間の空間周波数（ＭＦ）の表現は、ストリームＳＧ２で提供される。ＳＧ３出力で提供される高い空間周波数（ＨＦ）の表現の割合は、装置２００により特定の時間的な瞬間で処理される中間の空間周波数（ＭＦ）の情報の量に対してスレーブ方式で変化される。さらに、かなりの量のＳＧ１ストリームで提供される低い空間周波数（ＬＦ）情報は、ＳＧ３ストリームに含むことが可能な高い空間周波数（ＨＦ）情報の量に潜在的に影響を与える。かかるダイナミックパーティショニングは、図２を補充するために図３で例示されている。その後、装置２００において、ＨＰ及びＬＰストリーム３０，２０のそれぞれは、送信のために上述されたコンポジット信号４０を生成するために結合され、ここでＨＰストリーム３０は、ＬＰストリーム２０に関して狭い帯域幅を占有するそのおかげで、コンポーネント信号４０で利用される変調フォーマットの結果として、コンポジット信号４０でロバストにされる。
【００３５】
プログレッシブに細かい空間解像度に属する情報に対応する３つのストリームＳＧ１，ＳＧ２，ＳＧ３が上述において記載されたが、３を超えるストリームが潜在的に作成され、送信のために対応するコンポジット信号を生成するために結合され、低い空間周波数の画像コンポーネントは、送信の最もロバストな部分に含まれる。有利なことに、ストリーム間のビデオデータの分割は、エネルギーが割り当てられた送信帯域幅で十分にポピュレートしようとするため、送信のための実質的に一定のビットレートを維持するため、動的に可変にされる。
【００３６】
ベースレイヤ１００を符号化するための装置２００における可変ビットレートの使用のため、たとえばかなりの複雑な動きがビデオ系列で生じる場合、コンポジット信号で伝達される画質は、クリティカルモーメントでエンハンスされる。さらに、本発明は、ビデオ画質を維持しつつ、更に多くのビデオチャネルをブロードキャスト５０における所与の利用可能な伝送帯域幅にパックするために使用することができる。
【００３７】
さらに、本発明は、高い優先度ＨＰと低い優先度ＬＰのストリームとの間で画像情報の複製を実質的に回避し、すなわち、情報の複製が行われ、結果的に割り当てられたブロードキャスト帯域幅の最適ではない利用となる場合に、現代のビデオブロードキャストシステムによる問題を回避する。
【００３８】
トランスミッション５０の乏しい受信の状態では、送信５０にロバストに含まれ、装置２００のストリームＳＧ１から導出されるＨＰストリームは、乏しい受信の間に粗い画質を可能にし、これによりビデオストリームＳＧ０のより信頼性の高い少なくとも粗い表現を受信するために対応する受信装置のユーザを提供する。一般に、パームヘルドテレビジョンのようなポータブルレシーバは、低いゲインの比較的小型のアンテナを含み、したがってそれら無線周波のプリアンプで生じる瞬間的な雑音から本質的に苦しむ。さらに、かかるパームヘルドテレビジョンは、地上波ブロードキャストを受信する高いゲインのルーフトップアンテナに依存する更に永続的なテレビジョン受信機の装置に比較して、自発的なローカルノイズ及び干渉を受信しやすい。
【００３９】
必要とされる場合、トランスミッション５０には、２を超える格付けされた優先レベルが設けられ、たとえば、高い優先度のストリーム（ＨＩＰ）、高い中間の優先度のストリーム（ＨＭＰ）、低い中間の優先度のストリーム（ＬＭＰ）及び低い優先度のストリーム（ＨＰ）を含むために適合され、次いで、４つの優先度のストリームがトランスミッション５０に含まれる。これら様々なストリーム間のデータの分割は、上述で記載されたように、プログラムコンテンツに依存して動的に変化することが好ましい。さらに、必要とされる場合、使用中のストリーム数は、信号ＳＧ０に存在するプログラムコンテンツに応答して動的に可変にすることができる。
【００４０】
請求項では、括弧間に含まれる参照符号及び他のシンボルは、請求項の理解を支援するために含まれ、何れかのやり方で請求項の範囲を制限することが意図されない。  
上述された本発明の実施の形態は、特許請求の範囲により定義されるように、本発明の範囲から逸脱することなしに変更される。  
「有する“comprise”」、「含む“include”」、「組み込む“incorporate”」、「包含する“contain”」、「〜である“is”」及び「有する“have”」は、説明及びその関連する請求項を解釈するときに非排他的な方式で解釈され、すなわち、明示的に定義されていない他のアイテム又はコンポーネントが存在するのを可能にするために解釈される。単数への参照は、複数への参照において解釈されるべきであり、逆も然りである。
【図面の簡単な説明】
【００４１】
【図１】ビデオデータを処理して対応する高い優先度（ＨＰ）と低い優先度（ＬＰ）のマルチプレックスコンポーネントを生成するための動的なデータ分割を概念的に説明する図である。
【図２】入力ビデオストリームを処理して統計的に多重化されたＬＰ及びＨＰストリームを生成するために作用する装置を概念的に説明する図である。
【図３】図２の装置によるビデオ情報の割り当てを説明する図である。
【図１】
2007537646.tif 000003
【図２】
2007537646.tif 000004
【図３】
2007537646.tif 000005
【国際調査報告】
2007537646.tif 000006
2007537646.tif 000007
2007537646.tif 000008
2007537646.tif 000009
2007537646.tif 000010